(57)【要約】【課題】簡潔な構造のレンズ鏡筒。【解決手段】基準部材に対して所定の軸方向にスライド可能な案内軸と、第１光学部品を保持すると共に、案内軸に固定された第１保持部材と、第１光学部品とは異なる第２光学部品を保持し、案内軸に沿って軸方向にスライド可能に保持された第２保持部材と、第１保持部材と第２保持部材との一方が周溝を介して係合し、第１保持部材と第２保持部材の他方がカム溝を介して係合し、合焦の際には第１保持部材または第２保持部材の他方に軸方向に駆動力を伝達する伝達部材と、第１保持部材と第２保持部材の一方がカム溝を介して係合し、変倍の際には第１保持部材と第２保持部材とが伝達部材と協働して一体的に移動するように軸方向の駆動力を付与する駆動部材とを備える。【選択図】図１
2010197622.tif 000002
【特許請求の範囲】
【請求項１】
基準部材に対して所定の軸方向にスライド可能な案内軸と、
第１光学部品を保持すると共に、前記案内軸に固定された第１保持部材と、
前記第１光学部品とは異なる第２光学部品を保持し、前記案内軸に沿って前記軸方向にスライド可能に保持された第２保持部材と、
前記第１保持部材と前記第２保持部材との一方が周溝を介して係合し、前記第１保持部材と前記第２保持部材の他方がカム溝を介して係合し、合焦の際には前記第１保持部材または前記第２保持部材の前記他方に前記軸方向の駆動力を伝達する伝達部材と、
前記第１保持部材と前記第２保持部材の一方がカム溝を介して係合し、変倍の際には前記第１保持部材と前記第２保持部材とが前記伝達部材と協働して一体的に移動するように前記軸方向の駆動力を付与する駆動部材と
を備えるレンズ鏡筒。
【請求項２】
前記伝達部材は、前記合焦の際に前記軸方向回りに回転され、
前記駆動部材は、前記変倍の際に前記軸方向回りに回転されるとともに、前記合焦の際には前記軸方向回りの位置を固定されている請求項１に記載のレンズ鏡筒。
【請求項３】
前記第１保持部材と前記第２保持部材との一方が前記駆動部材に係合する部分は、前記案内軸の近傍に位置している請求項１または請求項２に記載のレンズ鏡筒。
【請求項４】
前記変倍の際に、前記第１保持部材の前記伝達部材に係合する部分と、前記第２保持部材の前記伝達部材に係合する部分との少なくとも一つは、前記案内軸の近傍に位置している請求項１から請求項３までのいずれかに記載のレンズ鏡筒。
【請求項５】
前記第２保持部材は、前記案内軸の周面と相補的な形状の挿通穴を有し、前記挿通穴に挿通された前記案内軸により、前記軸方向にスライド可能に保持される請求項１から請求項４までのレンズ鏡筒。
【請求項６】
前記基準部材は、前記案内軸の周面と相補的な形状の挿通穴を有し、
前記案内軸は、前記挿通穴に挿通されて前記軸方向にスライド可能に保持される請求項１から請求項５までのいずれかに記載のレンズ鏡筒。
【請求項７】
前記軸方向と並行に延在する他の案内軸を有し、
前記第１保持部材と前記第２保持部材と前記基準部材との少なくともひとつは、前記軸方向に直交する面内で前記他の案内軸を挟む一対の平行面を有する請求項１から請求項６までのいずれかに記載のレンズ鏡筒。
【請求項８】
請求項１から請求項７までのいずれかに記載のレンズ鏡筒と、
前記レンズ鏡筒により結像された像を記録する撮像部と
を備える撮像装置。
【発明の詳細な説明】
【技術分野】
【０００１】
本発明は、レンズ鏡筒および撮像装置に関する。
【背景技術】
【０００２】
下記特許文献１には、ズームレンズのレンズのうち、変倍操作において光軸方向に移動するレンズを合焦操作において回転させることが開示されている。
【先行技術文献】
【特許文献】
【０００３】
【特許文献１】特開平５−１４２４７５号公報
【発明の概要】
【発明が解決しようとする課題】
【０００４】
従来のズームレンズにおいてレンズを保持する保持枠を案内軸に係合して移動する構造とした場合、合焦操作によってレンズの保持枠を回転させることができず、機構上の制約があった。
【課題を解決するための手段】
【０００５】
上記課題を解決すべく、本発明の第１態様として、基準部材（１１０）に対して所定の軸方向にスライド可能な案内軸（１０２）と、第１光学部品を保持すると共に、案内軸に固定された第１保持部材（１９０、１９１）と、第１光学部品とは異なる第２光学部品を保持し、案内軸に沿って軸方向にスライド可能に保持された第２保持部材（１９１、１９０）と、第１保持部材と第２保持部材との一方が周溝（１９４）を介して係合し、第１保持部材と第２保持部材の他方がカム溝（１９３）を介して係合し、合焦の際には第１保持部材または第２保持部材の他方に軸方向の駆動力を伝達する伝達部材（１８２）と、第１保持部材と第２保持部材の一方がカム溝（１７５）を介して係合し、変倍の際には第１保持部材と第２保持部材とが伝達部材と協働して一体的に移動するように軸方向の駆動力を付与する駆動部材（１７０）とを備えるレンズ鏡筒（１００）が提供される。
【０００６】
また、本発明の第２態様として、上記レンズ鏡筒と、レンズ鏡筒により結像された像を記録する撮像部（２００）とを備える撮像装置（３００）が提供される。
【０００７】
なお、上記の発明の概要は、本発明の必要な特徴の全てを列挙したものではない。また、これらの特徴群のサブコンビネーションもまた発明となり得る。
【図面の簡単な説明】
【０００８】
【図１】レンズ鏡筒１００の断面図である。
【図２】レンズ鏡筒１００の断面図である。
【図３】レンズ鏡筒１００の断面図である。
【図４】レンズ鏡筒１００の断面図である。
【図５】カメラシステム３００の模式的な断面図である。
【発明を実施するための形態】
【０００９】
以下、発明の実施の形態を通じて本発明を説明するが、以下の実施形態は特許請求の範囲にかかる発明を限定するものではない。また、実施形態の中で説明されている特徴の組み合わせの全てが発明の解決手段に必須であるとは限らない。
【００１０】
図１および図２は、レンズ鏡筒１００の断面図である。図１は、レンズ鏡筒１００が広角側に変倍された状態を、図２は、レンズ鏡筒１００が望遠側に変倍された状態をそれぞれ示す。また、図１および図２で共通の要素には同じ参照番号を付す。なお、レンズ鏡筒１００の変倍操作により、図１に現れた部材の一部は図２に現れない。
【００１１】
レンズ鏡筒１００は、共通の光軸Ｘ上に順次配列された６群のレンズＬ１、Ｌ２１、Ｌ２２、Ｌ３、Ｌ４、Ｌ５を含む光学系を備える。以下の説明においては、特に言及しない限り、レンズ鏡筒１００の光学系の物側を前側、像側を後側と記載する。
【００１２】
レンズＬ１、Ｌ２１、Ｌ２２、Ｌ３、Ｌ４、Ｌ５はそれぞれ、レンズ枠１６０、１９１、１９０、７０、８０、９０に保持される。レンズＬ４を保持するレンズ枠８０は、光学系の光路径を変化させる絞り装置２２２も保持する。
【００１３】
レンズ枠１９０は、カムフォロワ１９２および周溝１９４を有する。カムフォロワ１９２は、レンズ枠１９０の外周面から、径方向外側に向かって突出する。周溝１９４は、光軸Ｘに直交する面に沿って、レンズ枠１９０の内外を貫通して形成される。
【００１４】
レンズ枠１９１は、レンズ枠１９０の内側に配され、外周面にカム溝１９３を有する。カム溝１９３は、光軸Ｘに対して傾斜して形成される。
【００１５】
レンズ鏡筒１００は、イメージセンサ等を含む撮像部２００に対して固定される固定筒１１０を有する。固定筒１１０は、レンズ鏡筒１００の動作の基準となる。
【００１６】
固定筒１１０の外周前側には、互いに同軸な内筒１４０、中筒１５０、外筒１６１およびズームリング１３０が内側からこの順に配される。また、レンズ鏡筒１００の外周面において、ズームリング１３０の後方にはピントリング１２０が配される。
【００１７】
また、固定筒１１０の先端には、外周から内周にわたる伝達環１８０が、固定筒１１０と同軸に配される。固定筒１１０の内側には、カム筒１７０が配される。カム筒１７０の更に内側には、光軸Ｘと平行に配された一対のガイドバー１０２、１０４が配される。ガイドバー１０２、１０４の前端は、レンズ枠１９１に結合される。
【００１８】
固定筒１１０は、直進溝１１１、カムピン１１２、マウント１１３および支持部１１４を有する。直進溝１１１は、レンズ鏡筒１００の光軸Ｘ方向に延在する。カムピン１１２は、固定筒１１０の内周面から径方向内側に向かって突出して、カム筒１７０のカム溝１７３に係合する。
【００１９】
マウント１１３は、固定筒１１０の後端に配される。マウント１１３を撮像部２００に係合させることにより、固定筒１１０は撮像部２００に対して固定される。固定筒１１０が撮像部２００に固定された場合、固定筒１１０後端のマウント面１１５は、撮像部２００の前面に密接される。これにより、レンズ鏡筒１００全体が、撮像部２００に対して位置決めされる。
【００２０】
２対の支持部１１４は、固定筒１１０の内周面から径方向内側に向かって突出してガイドバー１０２、１０４を支持する。図中で上側に配されたガイドバー１０２を支持する一対の支持部１１４は、ガイドバー１０２の外周の形状と相補的な形状の嵌合穴１１６をそれぞれが有する。ガイドバー１０２は、嵌合穴１１６に挿通されて摺動自在に支持される。これにより、ガイドバー１０２は、光軸Ｘ方向に移動することを許されつつ、他の方向への変位と、傾きとを規制される。
【００２１】
図中で下側に配されたガイドバー１０４を支持する一対の支持部１１４は、ガイドバー１０４の径と同じ間隔の平行面を含むＵ字溝１１８をそれぞれ有する。ガイドバー１０４は、Ｕ字溝１１８に挿通されて、光軸Ｘ方向に移動することを許されつつ、光軸Ｘと直交する方向の変位を規制される。
【００２２】
一対のガイドバー１０２、１０４の端部は、レンズ枠１９１に連結される。これにより、レンズＬ２１を保持したレンズ枠１９１が傾くことが防止される。ガイドバー１０４は、ガイドバー１０２と協働してレンズ枠１９１が光軸Ｘ方向に移動するように案内する。
【００２３】
ガイドバー１０２、１０４はまた、レンズ枠１９０も案内する。即ち、レンズ枠１９０は、ガイドバー１０２の外周の形状と相補的な形状の嵌合穴１９６を有して、この嵌合穴１９６にガイドバー１０２を挿通させている。これにより、レンズ枠１９０が、光軸Ｘに対して傾くことが防止される。
【００２４】
また、レンズ枠１９０は、ガイドバー１０４の径と同じ間隔の平行面を含む長穴１９８を有して、この長穴１９８にガイドバー１０４を挿通させている。この長穴１９７と上記嵌合穴１９５とにより、レンズ枠１９０は、光軸Ｘ回りに回転することが防止される。
【００２５】
内筒１４０は、カムフォロワ１４２、逃げ穴１４４、直進溝１４６および係合突起１４８を有する。カムフォロワ１４２は、内筒１４０の後端近傍において、レンズ鏡筒１００の径方向内側に向かって突出する。直進溝１４６は光軸Ｘ方向に延在する。係合突起１４８は、レンズ鏡筒１００の径方向外側に向かって突出する。
【００２６】
カムフォロワ１４２は、固定筒１１０の直進溝１１１を貫通して、カム筒１７０のカム溝１７１に係合する。これにより、カムフォロワ１４２は、光軸Ｘ回りに回転することが規制される。カム溝１７１は光軸Ｘに対して傾斜して形成されているので、カム筒１７０が回転した場合に、内筒１４０を光軸Ｘ方向に移動させる駆動力をカムフォロワ１４２に伝達する。
【００２７】
逃げ穴１４４は、レンズ鏡筒１００の周方向について直進溝１４６とは略反対側に配される。逃げ穴１４４には、後述するカム筒１７０のカムフォロワ１７２が挿通される。
【００２８】
中筒１５０は、カムフォロワ１５２、カム溝１５４、直進溝１５６および係合周溝１５８を有する。カムフォロワ１５２は、レンズ鏡筒１００の径方向外側に向かって突出する。カム溝１５４は、光軸Ｘに対して傾斜して延在する。
【００２９】
直進溝１５６は、レンズ鏡筒１００の周方向についてカム溝１５４と略反対側に配される。直進溝１５６は、光軸Ｘ方向に延在して、カム筒１７０のカムフォロワ１７２に係合する。
【００３０】
係合周溝１５８は、中筒１５０の内周面に、光軸Ｘに直交する面に沿って形成される。係合周溝１５８は、内筒１４０の係合突起１４８と係合する。これにより、中筒１５０は、光軸Ｘ方向については内筒１４０と一体的に移動しつつ、光軸Ｘ回りについては内筒１４０とは個別に回転自在となる。
【００３１】
外筒１６１は、カムフォロワ１６２を有する。カムフォロワ１６２は、レンズ鏡筒１００の径方向内側に突出して、中筒１５０のカム溝１５４と、内筒１４０の直進溝１４６とに係合する。これにより、中筒１５０が光軸Ｘ回りに回転した場合に、カムフォロワ１６２は、外筒１６１が光軸Ｘ回りに回転することを規制しつつ、外筒１６１に光軸Ｘ方向の駆動力を伝える。
【００３２】
また、外筒１６１は、レンズＬ１を保持するレンズ枠１６０に結合される。これにより、外筒１６１が光軸Ｘ方向に移動した場合は、レンズＬ１も光軸Ｘに沿って移動する。
【００３３】
カム筒１７０は、固定筒１１０の内側に回転自在に配される。カム筒１７０は、複数のカム溝１７１、１７３、１７５とカムフォロワ１７２とを有する。カム溝１７１、１７３、１７５は、それぞれ、光軸Ｘに対して傾斜して形成される。カム溝１７１は、内筒１４０のカムフォロワ１４２と係合する。カム溝１７３は、固定筒１１０のカムピン１１２と係合する。カム溝１７５は、レンズ枠１９０のカムフォロワ１９２と係合する。
【００３４】
カムフォロワ１７２は、連結部材１７４を介してカム筒１７０に取り付けられる。カムフォロワ１７２先端は、内筒１４０の逃げ穴１４４を通り抜けて、中筒１５０の直進溝１５６に係合する。これにより、中筒１５０が光軸Ｘ回りに回転した場合には、カム筒１７０を回転させる駆動力が、カムフォロワ１７２からカム筒１７０に伝達される。
【００３５】
なお、カム筒１７０は、他のレンズＬ３、Ｌ４、Ｌ５を保持するレンズ枠７０、８０、９０を光軸Ｘ方向に移動させる駆動力を発生する目的で、図示していない他のカム溝等を更に備える場合がある。また、カム筒１７０は、重量の低減等を目的として、カム溝等が形成されない領域を取り除く場合がある。このため、カム筒１７０が完全な円筒をなすとは限らない。
【００３６】
伝達環１８０は、カムピン１８２と直進溝１８４とを有する。直進溝１８４は、固定筒１１０の外側において、光軸Ｘと平行な方向に延在して外周面に配される。カムピン１８２は、固定筒１１０の内側において、径方向内側に向かって突出して、レンズ枠１９０の周溝１９４を貫通する。
【００３７】
更に、カムピン１８２の先端は、レンズ枠１９１のカム溝１９３に係合する。レンズ枠１９１は、ガイドバー１０２、１０４に結合されて回転を規制されているので、伝達環１８０がＸ軸の回りを回転した場合、カムピン１８２からカム溝１９３に伝えられた駆動力により、レンズ枠１９１は前後に移動する。
【００３８】
ズームリング１３０は、固定筒１１０の外周面に沿って、光軸Ｘの回りに回転するように装着される。また、ズームリング１３０は、内周面に案内溝１３２を有する。案内溝１３２は、光軸Ｘ方向と平行に直線状に延在して、中筒１５０のカムフォロワ１５２に係合する。これにより、ズームリング１３０が回転操作された場合、中筒１５０も光軸Ｘの回りに回転する。
【００３９】
ピントリング１２０は、固定筒１１０の外周面に沿って、光軸Ｘの回りに回転自在に装着される。また、ピントリング１２０の内側には、固定筒１１０の内部にモータ１２６が配される。更に、ピントリング１２０の内側から延在して、先端部１２４を伝達環１８０の直進溝１８４に係合させる伝達ロッド１２２が配される。
【００４０】
伝達ロッド１２２は、回転操作されたピントリング１２０または作動するモータ１２６のいずれかから駆動されて、固定筒１１０の外周に沿って光軸Ｘの回りを回転する。伝達ロッド１２２の回転は、直進溝１８４の側壁を介して伝達環１８０に伝達される。
【００４１】
なお、上記のような構造において、カムピン１８２とカムフォロワ１９２との各々は、伝達環１８０またはレンズ枠１９０の周方向について、ガイドバー１０２の近傍に配されることが好ましい。これにより、カムピン１８２およびカムフォロワ１９２による駆動力の伝達効率が向上される。
【００４２】
次に、上記のような構造を有するレンズ鏡筒１００の変倍動作について説明する。レンズ鏡筒１００の変倍動作においては、ズームリング１３０を回転操作することにより、全てのレンズＬ１、Ｌ２１、Ｌ２２、Ｌ３、Ｌ４、Ｌ５が光軸Ｘ方向に移動する。ただし、レンズＬ２１、Ｌ２２は、後述するように一体的に移動する。
【００４３】
ズームリング１３０が外部から操作されて光軸Ｘの回りに回転した場合、中筒１５０のカムフォロワ１５２がズームリング１３０の案内溝１３２に係合しているので、中筒１５０に回転駆動力が伝達される。なお、図２では、回転により移動したカムフォロワ１５２が見えなくなる。
【００４４】
中筒１５０が回転した場合、カム溝１５４から外筒１６１のカムフォロワ１６２に駆動力が伝達される。駆動力を受けたカムフォロワ１６２は、内筒１４０の直進溝１４６に案内されて、光軸Ｘ方向に移動する。これにより、外筒１６１の先端に結合されたレンズ枠１６０と、レンズ枠１６０に保持されたレンズＬ１とが光軸Ｘ方向に一体的に移動する。
【００４５】
また、中筒１５０が回転した場合、直進溝１５６に係合するカムフォロワ１７２にも回転駆動力が伝達される。これにより、カム筒１７０は、固定筒１１０の内周面に沿って、光軸Ｘの回りに回転する。なお、図２では、回転により移動した直進溝１５６およびカムフォロワ１７２が見えなくなる。
【００４６】
カム筒１７０が回転した場合、カム溝１７１に係合するカムフォロワ１４２に駆動力が伝達される。カムフォロワ１４２は、固定筒１１０の直進溝１１１に案内されて、光軸Ｘ方向に移動する。これにより、内筒１４０と、係合周溝１５８により内筒１４０に係合する中筒１５０が光軸Ｘ方向に移動する。
【００４７】
また、カム筒１７０が回転した場合、カム溝１７３に係合する固定筒１１０のカムピン１１２に駆動され、カム筒１７０自体もＸ方向に移動する。更に、カム筒１７０が回転した場合、カム溝１７５からレンズ枠１９０のカムフォロワ１９２に駆動力が伝達され、レンズＬ２２も光軸Ｘ方向に移動する。この際、レンズ枠１９０にはガイドバー１０２、１０４を挿通させているので、レンズ枠１９０は光軸Ｘ回りに回転せず直進する。
【００４８】
レンズ枠１９０が光軸Ｘ方向に移動した場合、周溝１９４の側壁に押されてカムピン１８２もレンズ枠１９０と共に移動する。カムピン１８２の光軸Ｘ方向の移動は、カム溝１９３を介してレンズ枠１９１にも伝達され、レンズＬ２１がレンズ２２と共に光軸Ｘ方向に移動する。
【００４９】
このように、ズームリング１３０が回転操作された場合には、レンズＬ２１、Ｌ２２は一体的に移動する。また、外筒１６１の移動によりレンズＬ１も移動する。他のレンズＬ３、Ｌ４、Ｌ５も移動して相互の間隔が変化するので、レンズ鏡筒１００の焦点距離を変化させることができる。
【００５０】
なお、他のレンズＬ３、Ｌ４、Ｌ５は、レンズ鏡筒１００を変倍する場合に限って移動させればよいので、既存の駆動機構を任意に選択して利用できる。即ち、カム筒１７０および固定筒に設けたカム溝および直溝によりレンズ枠７０、８０、９０を案内して移動させてもよい。また、ガイドバー１０２、１０４を利用してレンズ枠７０、８０、９０を案内する構造としてもよい。
【００５１】
また、外筒１６１およびズームリング１３０の間には、固定筒１１０に対して同軸に装着されたカバー筒１６５が配される。カバー筒１６５は、外筒１６１に連れ従って進退して、外筒１６１およびズームリング１３０の間を封止する。これにより、レンズ鏡筒１００の内部に塵芥が浸入することが防止される。
【００５２】
更に、上記の例では、カム筒１７０およびレンズ枠１９０は、カム筒１７０側のカム溝１７５とレンズ枠１９０側のカムフォロワ１９２により係合している。しかしながら、カム筒１７０側にカムフォロワを設け、レンズ枠１９０側にカム溝を設けても同様の機能が得られる。
【００５３】
図３は、レンズ鏡筒１００の合焦動作を説明する断面図である。図１および図２と共通の要素には同じ参照番号を付して重複する説明を省く。なお、合焦動作においては、レンズ２１が移動して、レンズＬ２２は移動しない。また、他のレンズＬ１、Ｌ３、Ｌ４、Ｌ５も移動しない。
【００５４】
レンズ鏡筒１００においてピントリング１２０が回転操作された場合、または、モータ１２６が動作した場合、伝達ロッド１２２は、固定筒１１０の外周面に沿って、光軸Ｘの周りに回転する。伝達ロッド１２２の回転駆動力は、その先端部１２４から直進溝１８４の側壁を介して伝達環１８０に伝達される。
【００５５】
伝達環１８０の回転に伴ってカムピン１８２も光軸Ｘ回りに回転する。ここで、周溝１９４は、レンズ枠１９０の周方向に形成されているので、カムピン１８２の影響により駆動力を受けることはない。従って、レンズＬ２２の光軸Ｘ方向の位置は変化しない。
【００５６】
一方、レンズ枠１９１のカム溝１９３は、カムピン１８２から駆動力を受ける。なお、伝達環１８０の回転に伴ってカムピン１８２は移動するので、図３にはカムピン１８２は現れない。カムピン１８２から駆動力を受けたレンズ枠１９１は、ガイドバー１０２、１０４に案内されて光軸Ｘ方向に移動する。これにより、レンズＬ２１が光軸Ｘ方向に移動して、レンズ鏡筒１００の光学系の焦点位置が変化する。
【００５７】
図４は、他の構造を有するレンズ鏡筒１００の構造を示す断面図である。なお、レンズ鏡筒１００は、以下に説明する部分を除くと図１から図３に示したレンズ鏡筒１００と共通の構造を有する。そこで、共通の要素には同じ参照番号を付して重複する説明を省く。
【００５８】
このレンズ鏡筒１００は、レンズ枠１９０の外周面にカム溝１９９が、レンズ枠１９１に周溝１９５が、それぞれ形成されている点に固有の特徴がある。また、レンズ枠１９１が、カムフォロワ１９２を外周面に有する点においても固有の構造を有する。
【００５９】
伝達環１８０のカムピン１８２は、レンズ枠１９１の周溝１９５を貫通して、先端をカム溝１９９に係合する。また、レンズ枠１９１のカムフォロワ１９２は、カム筒１７０のカム溝１７５に係合する。これにより、レンズ鏡筒１００のズームリング１３０が回転操作されて変倍動作する場合は、カム筒１７０の回転により、カム溝１７５からカムフォロワ１９２に駆動力が伝達され、レンズ枠１９１が光軸Ｘ方向に移動する。
【００６０】
また、レンズ枠１９１の移動は、周溝１９５およびカムピン１８２を介してレンズ枠１９０に伝達される。これにより、レンズ枠１９０も、レンズ枠１９１と一体的に移動する。これにより、図１から図３までに示したレンズ鏡筒１００と同様に、光学系の焦点距離を変化させることができる。
また、レンズ鏡筒１００のピントリング１２０が回転操作され、あるいは、モータ１２６が動作して、伝達環１８０が回転した場合に、レンズ枠１９１には回転駆動力が伝達されない。その代わり、レンズ枠１９０に駆動力が伝達されて、レンズＬ２２が光軸Ｘ方向に移動する。これにより、レンズ鏡筒１００の光学系の焦点位置が変化する。このように、レンズ枠１９０に保持されたレンズＬ２２を移動させることによりレンズ鏡筒１００を合焦させる構造とすることもできる。
【００６１】
図５は、レンズ鏡筒１００を備えたカメラシステム３００の構造を模式的に示す図である。なお、図面の記載が煩雑になることを避ける目的で、図５においてはレンズ鏡筒１００を簡略に記載した。しかしながら、図５におけるレンズ鏡筒１００は、例えば、図１から図３までに示したレンズ鏡筒１００と同じ構造を有する。そこで、共通の構成要素には同じ参照番号を付して重複する説明を省いた。
【００６２】
カメラシステム３００は、レンズ鏡筒１００および撮像部２００を含む。レンズ鏡筒１００は、撮像部２００のマウント部２６０に着脱自在に装着される。
【００６３】
カメラシステム３００に装着されたレンズ鏡筒１００は、図示していない接続端子を介して、撮像部２００に対して電気的にも結合される。これにより、レンズ鏡筒１００は、撮像部２００から電力を供給される。また、レンズ鏡筒１００側から撮像部２００側に信号も送信される。
【００６４】
撮像部２００は、主鏡２４０、ペンタプリズム２７０、接眼光学系２９０を含む光学系と、主制御部２５０とを収容する。主鏡２４０は、レンズ鏡筒１００の光学系を介して入射した入射光の光路上に傾斜して配置される待機位置と、入射光を避けて上昇する撮影位置（図中に点線で示す）との間を移動する。
【００６５】
待機位置にある主鏡２４０は、入射光の大半を、上方に配置されたフォーカシングスクリーン２７２に導く。フォーカシングスクリーン２７２は、レンズ鏡筒１００の光学系が合焦した場合に像を結ぶ位置に配置され、当該像を可視化する。
【００６６】
フォーカシングスクリーン２７２に結像された画像は、ペンタプリズム２７０を介して接眼光学系２９０から観察される。これにより、接眼光学系２９０からは、フォーカシングスクリーン２７２上の映像を正像として見ることができる。
【００６７】
ペンタプリズム２７０および接眼光学系２９０の間にはハーフミラー２９２が配置される。ハーフミラー２９２は、ファインダＬＣＤ２９４に形成された表示画像を、フォーカシングスクリーン２７２の映像に重畳させる。これにより、接眼光学系２９０の出射端において、フォーカシングスクリーン２７２の映像と、ファインダＬＣＤ２９４の映像とを併せて見ることができる。なお、ファインダＬＣＤ２９４には、カメラシステム３００の撮影条件、設定条件等の情報が表示される。
【００６８】
また、ペンタプリズム２７０の出射光の一部は、測光部２８０に導かれる。測光部２８０は、入射光の強度およびその分布等を測定して、撮影条件を決定する場合に測定結果を参照させる。
【００６９】
一方、入射光の入射面に対する主鏡２４０の裏面には、副鏡２４２が配置される。副鏡２４２は、主鏡２４０を透過した入射光の一部を、下方に配置された焦点検出装置２３０に導く。これにより、主鏡２４０が待機位置にある場合は、焦点検出装置２３０が光学系の焦点調整状態を検出する。なお、主鏡２４０が撮影位置に移動した場合は、副鏡２４２も入射光の光路から退避する。
【００７０】
レンズ鏡筒１００からの入射光に対して主鏡２４０の後方には、シャッタ２２０、光学フィルタ２１２および撮像素子２１０が光軸に沿って配置される。シャッタ２２０が開放される場合は、その直前に主鏡２４０が撮影位置に移動するので、入射光は直進して撮像素子２１０に入射される。これにより、入射光の形成する画像が、撮像素子２１０において電気信号に変換される。
【００７１】
また、撮像部２００は、レンズ鏡筒１００に対して背面において、外部に面したメインＬＣＤ２９６を備える。メインＬＣＤ２９６は、撮像部２００に対する各種の設定情報を表示する他、主鏡２４０が撮影位置に移動している場合に撮像素子２１０に形成された画像を表示することもできる。
【００７２】
主制御部２５０は、上記のような種々の動作を総合的に制御する。また、撮像部２００側の焦点検出装置２３０が検出した被写体までの距離の情報を参照して、レンズ鏡筒１００を駆動するオートフォーカス機構を形成できる。更に、焦点検出装置２３０がレンズ鏡筒１００の動作量を参照して、フォーカスエイド機構を形成することもできる。
【００７３】
更に、主制御部２５０は、レンズ鏡筒１００のマイクロプロセッサと情報を交換して、絞り装置２２２の開閉等も制御する。更に、主制御部２５０は、露出の自動化、シーンモードの実行、ブラケット撮影の実行等にも寄与する。
【００７４】
以上、本発明を実施の形態を用いて説明したが、本発明の技術的範囲は上記実施の形態に記載の範囲には限定されない。上記実施の形態に、多様な変更または改良を加えることが可能であることが当業者に明らかである。その様な変更または改良を加えた形態も本発明の技術的範囲に含まれ得ることが、特許請求の範囲の記載から明らかである。
【００７５】
特許請求の範囲、明細書、および図面中において示した装置、システム、プログラム、および方法における動作、手順、ステップ、および段階等の各処理の実行順序は、特段「より前に」、「先立って」等と明示しておらず、また、前の処理の出力を後の処理で用いるのでない限り、任意の順序で実現しうることに留意すべきである。特許請求の範囲、明細書、および図面中の動作フローに関して、便宜上「まず、」、「次に、」等を用いて説明したとしても、この順で実施することが必須であることを意味するものではない。
【符号の説明】
【００７６】
７０、８０、９０、１６０、１９０、１９１  レンズ枠、１００  レンズ鏡筒、１０２、１０４  ガイドバー、１１０  固定筒、１１１、１４６、１５６、１８４  直進溝、１１２、１８２  カムピン、１１３  マウント、１１４  支持部、１１５  マウント面、１１６、１９６  嵌合穴、１１８  Ｕ字溝、１２０  ピントリング、１２２  伝達ロッド、１２４  先端部、１２６  モータ、１３０  ズームリング、１３２  案内溝、１４０  内筒、１４２、１５２、１６２、１７２、１９２  カムフォロワ、１４４  逃げ穴、１４８  係合突起、１５０  中筒、１５４、１７１、１７３、１７５、１９３、１９９  カム溝、１５８  係合周溝、１６１  外筒、１６５  カバー筒、１７０  カム筒、１７４  連結部材、１８０  伝達環、１９４、１９５  周溝、１９８  長穴、２００  撮像部、２１０  撮像素子、２１２  光学フィルタ、２２０  シャッタ、２２２  絞り装置、２３０  焦点検出装置、２４０  主鏡、２４２  副鏡、２５０  主制御部、２６０  マウント部、２７０  ペンタプリズム、２７２  フォーカシングスクリーン、２８０  測光部、２９０  接眼光学系、２９２  ハーフミラー、２９４  ファインダＬＣＤ、２９６  メインＬＣＤ、３００  カメラシステム
【図１】
2010197622.tif 000003
【図２】
2010197622.tif 000004
【図３】
2010197622.tif 000005
【図４】
2010197622.tif 000006
【図５】
2010197622.tif 000007